(57)【要約】【課題】  この発明は、送信機側で周波数変換を行うことにより、地上波デジタルＴＶ放送信号の同一チャンネルの干渉妨害の発生を防止でき、しかも受信機側で周波数変換が不要となる地上波デジタルＴＶ放送の無線再配信システムを提供することを目的とする。【解決手段】  地上波デジタルＴＶ放送信号の周波数帯であるＵＨＦ帯の信号の他に、ＶＨＦ帯の信号を受信可能なＴＶ受信機に適用される地上波デジタルＴＶ放送の無線再配信システムであって、屋外アンテナで受信した地上波デジタルＴＶ放送信号が入力され、入力された地上波デジタルＴＶ放送信号をＶＨＦ帯の空きチャンネルの周波数に一括して周波数変換した後、増幅して無線送信する送信機、および上記送信機から送信される信号を受信して増幅した後、上記ＴＶ受信機に供給する受信機を備えている。【選択図】  図２
2006074267.tif 000002
【特許請求の範囲】
【請求項１】
地上波デジタルＴＶ放送信号の周波数帯であるＵＨＦ帯の信号の他に、ＶＨＦ帯の信号を受信可能なＴＶ受信機に適用される地上波デジタルＴＶ放送の無線再配信システムであって、
屋外アンテナで受信した地上波デジタルＴＶ放送信号が入力され、入力された地上波デジタルＴＶ放送信号をＶＨＦ帯の空きチャンネルの周波数に一括して周波数変換した後、増幅して無線送信する送信機、および
上記送信機から送信される信号を受信して増幅した後、上記ＴＶ受信機に供給する受信機、
を備えていることを特徴とする地上波デジタルＴＶ放送の無線再配信システム。
【請求項２】
上記送信機は、入力された地上波デジタルＴＶ放送信号をＶＨＦ帯の空きチャンネルであって、３２２ＭＨｚ以下の周波数に一括して周波数変換した後、増幅して無線送信するものであることを特徴とする請求項１に記載の地上波デジタルＴＶ放送の無線再配信システム。
【請求項３】
地上波デジタルＴＶ放送信号の周波数帯であるＵＨＦ帯のＴＶ放送信号の他に、ＶＨＦ帯のＴＶ放送信号を受信可能なＴＶ受信機に適用される地上波デジタルＴＶ放送の無線再配信システムであって、
地上波デジタルＴＶ放送信号または既にＶＨＦ帯に周波数変換された後の地上波デジタルＴＶ放送信号が入力され、入力されたＴＶ放送信号がＵＨＦ帯の地上波デジタルＴＶ放送信号である場合には入力されたＴＶ放送信号をＶＨＦ帯の空きチャンネルの周波数に一括して周波数変換した後、増幅して無線送信し、入力されたＴＶ放送信号が既にＶＨＦ帯に周波数変換された後の地上波デジタルＴＶ放送信号である場合には、入力されたＴＶ放送信号をそのまま増幅して無線送信する送信機、および
上記送信機から送信される信号を受信して増幅した後、上記ＴＶ受信機に供給する受信機を備えていることを特徴とする地上波デジタルＴＶ放送の無線再配信システム。
【請求項４】
上記送信機は、
入力されたＴＶ信号のうちからＶＨＦ帯のＴＶ信号を抽出し、抽出したＶＨＦ帯のＴＶ信号の信号レベルに基づいて、入力されたＴＶ信号がＵＨＦ帯の地上波デジタルＴＶ放送信号であるか、既にＶＨＦ帯に周波数変換された後の地上波デジタルＴＶ放送信号であるかを判別する第１手段、
入力されたＴＶ放送信号がＵＨＦ帯の地上波デジタルＴＶ放送信号であると判別した場合には、入力されたＴＶ放送信号をＶＨＦ帯の空きチャンネルの周波数に一括して周波数変換した後、増幅して無線送信する第２手段、および
入力されたＴＶ放送信号が既にＶＨＦ帯に周波数変換された後の地上波デジタルＴＶ放送信号であると判別した場合には、入力されたＴＶ放送信号をそのまま増幅して無線送信する第３手段、
を備えていることを特徴とする請求項３に記載の地上波デジタルＴＶ放送の無線再配信システム。
【請求項５】
上記第２手段は、入力されたＴＶ放送信号をＶＨＦ帯の空きチャンネルであって、３２２ＭＨｚ以下の周波数に一括して周波数変換した後、増幅して無線送信するものであることを特徴とする請求項４に記載の地上波デジタルＴＶ放送の無線再配信システム。
【発明の詳細な説明】
【技術分野】
【０００１】
この発明は、地上波デジタルＴＶ放送の無線再配信システムに関する。
【背景技術】
【０００２】
日本の地上波デジタルＴＶ放送は、２００３年１２月１日より関東、中京、近畿の三大都市圏で放送が開始されている。地上波デジタルＴＶ放送は、マルチパス干渉に強いＯＦＤＭ（直交周波数分割多重）方式を採用しており、アナログＴＶ放送などで発生していた画像の多重映り（ゴースト障害）がほとんどなく安定した高画質受信ができる。地上波デジタルＴＶ放送は、ＵＨＦ帯（４７０〜７７０ＭＨｚ）で放送されている。
【０００３】
地上波デジタルＴＶ放送を地上波デジタルＴＶ受信機で受信する形態としては、一般的には、次のようなものがある。
【０００４】
（１）  屋外アンテナによって地上波デジタルＴＶ放送信号を受信する。屋外アンテナによって受信された地上波デジタルＴＶ放送信号を、アンテナケーブルによって各部屋に分配し、各部屋の壁面に設けられているＴＶ端子に導く。そして、各部屋の壁面に設けられているＴＶ端子に、地上波デジタルＴＶ受信機のアンテナ端子をアンテナケーブルを介して接続する。
このような受信形態では、壁面に設けられているＴＶ端子に、地上波デジタルＴＶ受信機のアンテナ端子をアンテナケーブルを用いて接続する必要があるため、美観を損なうとともに、その配線が煩わしいという問題がある。また、ＴＶ受信機のレイアウトが制限されるため、ＴＶ受信機の設置位置の自由度が阻害されるという問題がある。
【０００５】
（２）  屋上（屋根の上）にアンテナを設置せずに、軒先やベランダにＵＨＦアンテナ（例えば、ＵＤＭＦ６２：日本アンテナ製）を設置し、そこからアンテナケーブルを屋内に引き込み、地上波デジタルＴＶ受信機のアンテナ端子に直接接続する。
このような受信形態においても、アンテナケーブルを部屋の中に引き込んで、地上波デジタルＴＶ受信機に接続する必要があるため、美観を損なうとともに、その配線が煩わしいという問題がある。また、ＴＶ受信機のレイアウトが制限されるため、ＴＶ受信機の設置位置の自由度が阻害されるという問題がある。
【０００６】
（３）  地上波デジタルＴＶ受信機に接続された室内アンテナで地上波デジタルＴＶ放送信号を受信する。
このような受信形態では、アンテナケーブルの配線に起因するＴＶ受信機のレイアウトに対する制限がなくなるが、室内での電波遮断ロスが生じるという問題がある。特に、地上波デジタルＴＶ放送信号で使われるＵＨＦ帯は、地上波アナログＴＶ放送で利用されているＶＨＦ帯に比べて建造物通過時の減衰ロスが大きいため、受信感度の観点からＴＶ受信機の設置位置が制限されるという問題がある。
【０００７】
そこで、屋内に入力される地上波デジタルＴＶ放送信号を、無線送信機によって増幅して、ＴＶ受信機に無線で再送信する室内再送信システムが開発されている（特開２００４−１２８７１９号公報、特開２００４−１２７２０号公報参照）。この室内再送信システムでは、屋内に入力されるＵＨＦ帯の地上波デジタルＴＶ放送信号を周波数変換することなく、そのまま増幅して再送信している。
【０００８】
ＵＨＦ帯の周波数帯では、後述するように、無線送信機の送信出力レベルが非常に低いレベルに制限されているため、伝送距離はほとんど近距離伝送しかできないという問題がある。
【０００９】
また、放送局から送出される直接放送電波と、無線送信機から送出される再送信電波の両波が室内受信アンテナから受信入力された場合、同じ周波数チャンネルの信号がＴＶ受信機に入力されることとなり、同一チャンネルの干渉妨害が発生して、受信できなくなるケースが発生する。
【００１０】
これを防止するために、地上波デジタルＴＶ放送信号の同一チャンネル妨害による劣化を防ぐような工夫が、別途アンテナや回路に必要となるという問題がある。
【特許文献１】特開２００４−１２８７１９号公報
【特許文献２】特開２００４−１２７２０号公報
【発明の開示】
【発明が解決しようとする課題】
【００１１】
この発明は、送信機側で周波数変換を行うことにより、地上波デジタルＴＶ放送信号の同一チャンネルの干渉妨害の発生を防止でき、しかも受信機側で周波数変換が不要となる地上波デジタルＴＶ放送の無線再配信システムを提供することを目的とする。
【課題を解決するための手段】
【００１２】
請求項１に記載の発明は、地上波デジタルＴＶ放送信号の周波数帯であるＵＨＦ帯の信号の他に、ＶＨＦ帯の信号を受信可能なＴＶ受信機に適用される地上波デジタルＴＶ放送の無線再配信システムであって、屋外アンテナで受信した地上波デジタルＴＶ放送信号が入力され、入力された地上波デジタルＴＶ放送信号をＶＨＦ帯の空きチャンネルの周波数に一括して周波数変換した後、増幅して無線送信する送信機、および上記送信機から送信される信号を受信して増幅した後、上記ＴＶ受信機に供給する受信機を備えていることを特徴とする。
【００１３】
請求項２に記載の発明は、請求項１に記載の地上波デジタルＴＶ放送の無線再配信システムにおいて、上記送信機は、入力された地上波デジタルＴＶ放送信号をＶＨＦ帯の空きチャンネルであって、３２２ＭＨｚ以下の周波数に一括して周波数変換した後、増幅して無線送信するものであることを特徴とする。
【００１４】
請求項３に記載の発明は、地上波デジタルＴＶ放送信号の周波数帯であるＵＨＦ帯のＴＶ放送信号の他に、ＶＨＦ帯のＴＶ放送信号を受信可能なＴＶ受信機に適用される地上波デジタルＴＶ放送の無線再配信システムであって、地上波デジタルＴＶ放送信号または既にＶＨＦ帯に周波数変換された後の地上波デジタルＴＶ放送信号が入力され、入力されたＴＶ放送信号がＵＨＦ帯の地上波デジタルＴＶ放送信号である場合には入力されたＴＶ放送信号をＶＨＦ帯の空きチャンネルの周波数に一括して周波数変換した後、増幅して無線送信し、入力されたＴＶ放送信号が既にＶＨＦ帯に周波数変換された後の地上波デジタルＴＶ放送信号である場合には、入力されたＴＶ放送信号をそのまま増幅して無線送信する送信機、および上記送信機から送信される信号を受信して増幅した後、上記ＴＶ受信機に供給する受信機を備えていることを特徴とする。
【００１５】
請求項４に記載の発明は、請求項３に記載の地上波デジタルＴＶ放送の無線再配信システムにおいて、上記送信機は、入力されたＴＶ信号のうちからＶＨＦ帯のＴＶ信号を抽出し、抽出したＶＨＦ帯のＴＶ信号の信号レベルに基づいて、入力されたＴＶ信号がＵＨＦ帯の地上波デジタルＴＶ放送信号であるか、既にＶＨＦ帯に周波数変換された後の地上波デジタルＴＶ放送信号であるかを判別する第１手段、入力されたＴＶ放送信号がＵＨＦ帯の地上波デジタルＴＶ放送信号であると判別した場合には、入力されたＴＶ放送信号をＶＨＦ帯の空きチャンネルの周波数に一括して周波数変換した後、増幅して無線送信する第２手段、および入力されたＴＶ放送信号が既にＶＨＦ帯に周波数変換された後の地上波デジタルＴＶ放送信号であると判別した場合には、入力されたＴＶ放送信号をそのまま増幅して無線送信する第３手段を備えていることを特徴とする。
【００１６】
請求項５に記載の発明は、請求項４に記載の地上波デジタルＴＶ放送の無線再配信システムにおいて、上記第２手段は、入力されたＴＶ放送信号をＶＨＦ帯の空きチャンネルであって、３２２ＭＨｚ以下の周波数に一括して周波数変換した後、増幅して無線送信するものであることを特徴とする。
【発明の効果】
【００１７】
この発明によれば、送信機側で周波数変換を行うことにより、地上波デジタルＴＶ放送信号の同一チャンネルの干渉妨害の発生を防止でき、しかも受信機側で周波数変換が不要となる。
【発明を実施するための最良の形態】
【００１８】
以下、図面を参照して、この発明の実施例について説明する。
【実施例１】
【００１９】
〔１〕この発明が適用される地上波デジタル放送ＴＶ受信機についての説明
【００２０】
表１は、地上波デジタルＴＶ放送の各受信チャンネルと中心周波数とを示している。
【００２１】
【表１】
2006074267.tif 000003
【００２２】
地上波デジタルＴＶ放送の受信チャンネルは、ＵＨＦ１３ｃｈ〜ＵＨＦ６２ｃｈである。その中心周波数は、１３ｃｈで４７３＋１／７ＭＨｚであり、１４ｃｈで４７９＋１／７ＭＨｚであり、６２ｃｈで７６７＋１／７ＭＨｚである。
【００２３】
地上波デジタルＴＶ放送が導入される周波数帯域は、ＵＨＦ１３チャンネルから６２チャンネルの範囲であることから、地上波デジタル放送ＴＶ受信機の受信周波数範囲として当該周波数が受信できることが必要である。
【００２４】
現在、三大都市圏（関東広域圏、中京広域圏、近畿広域圏）で２００３年１２月より放送が開始されているが、この中の例えば、近畿圏の放送は表２に示すようになっている。      
【００２５】
【表２】
2006074267.tif 000004
【００２６】
一方、現行の地上波アナログＴＶ放送の受信形態は、集合住宅共聴を含めると共同受信が全世帯のほぼ半数を占めている。これら共聴施設における伝送帯域は、ＵＨＦ帯まで広帯域化されていないものが大半であり、ＵＨＦ  ＴＶ放送は、ＶＨＦ＿Ｌｏｗ／Ｈｉｇｈ（ＶＨＦロー／ハイバンド）、ＶＨＦ＿ＭＩＤ（ＶＨＦミッドバンド）およびＶＨＦ＿ＳＨＢ（ＶＨＦスーパーハイバンド）等の低い周波数の空きチャンネル（その地域で放送が行われていないチャンネル）にダウンコンバートして伝送していることが多い。
【００２７】
このため、特に地上波デジタルＴＶ放送用の据え置き型ＴＶ受信機についても、共同受信が想定されるため、地上波デジタル放送用受信機の受信チャンネル範囲については、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）帯にも対応することが望ましいと、ＡＲＩＢ規格  ＡＲＩＢ  ＳＴＤ−Ｂ２１に規定されている。
【００２８】
従って、地上波デジタルＴＶ放送用の据え置き型ＴＶ受信機は、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能となるように設計されていることが多いと考えられる。
【００２９】
表３は、ＶＨＦ＿Ｌｏｗ／Ｈｉｇｈ帯（ＶＨＦ１ｃｈ〜ＶＨＦ１２ｃｈ）の各受信チャンネルと中心周波数とを示している。
【００３０】
【表３】
2006074267.tif 000005
【００３１】
表４は、ＶＨＦ＿ＭＩＤ帯（Ｃ１３ｃｈ〜Ｃ２２ｃｈ）の各受信チャンネルと中心周波数とを示している。
【００３２】
【表４】
2006074267.tif 000006
【００３３】
表５は、ＶＨＦ＿＿ＳＨＢ帯（Ｃ２３ｃｈ〜Ｃ６３ｃｈ）の各受信チャンネルと中心周波数とを示している。
【００３４】
【表５】
2006074267.tif 000007
【００３５】
本発明では、本来のＵＨＦ帯１３ｃｈ〜６２ｃｈ（４７０ＭＨｚ〜７７０ＭＨｚ）の他に、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能（選局視聴可能）な地上波デジタルＴＶ放送用のＴＶ受信機を適用対象としている。
【００３６】
〔２〕微弱電波の規格についての説明
【００３７】
微弱電波の規格について説明する。微弱電波の規格は、発射する電波が著しく微弱な無線設備として、総務省令で定められており、３メートル地点での電界強度で規定されている。
【００３８】
図１および表６は、微弱電波規格で定められた周波数帯に対する電界強度（許容値）を示している。
【００３９】
【表６】
2006074267.tif 000008
【００４０】
表６に示すように、３２２ＭＨｚ以下及び１５０ＧＨｚ以上の周波数帯については、許容値は５００μＶ／ｍに制限されている。また、３２２ＭＨｚから１０ＧＨｚまでの周波数帯については、陸上移動業務、ＵＨＦ  ＴＶ放送、固定業務および宇宙業務（地球局）に対する混信保護を考慮して、許容値は３５μＶ／ｍに制限されている。また、１０ＧＨｚから１５０ＧＨｚまでの周波数帯については、システム雑音温度、受信帯域幅等を考慮して、許容値は３．５ｆμＶ／ｍ（ｆは使用周波数帯（ＧＨｚ））に制限されている。
【００４１】
微弱電波無線規格による無線システムは、表６の電界強度を満足していれば、周波数、変調方式および通信方式に制約がないため、比較的自由なシステム設計が可能である。
【００４２】
〔３〕地上波デジタルＴＶ放送の無線再配信システムについての説明
【００４３】
図２は、地上波デジタルＴＶ放送の無線再配信システムの概要を示している。
【００４４】
屋上に設けられた屋外アンテナ１によって地上波デジタルＴＶ放送信号が受信される。屋外アンテナ１によって受信された地上波デジタルＴＶ放送信号は、アンテナケーブル２によって部屋の壁面に設けられているＴＶ端子３に導かれる。
【００４５】
ＴＶ端子３には、再配信用の送信機４が接続されている。送信機４は、ＴＶ端子３から得られた地上波デジタルＴＶ放送信号を、ＶＨＦ帯（この例では、ＶＨＦ＿ＳＨＢ帯）の空きチャンネルであって、かつ微弱電波規格の制限が緩い３２２ＭＨｚ以下のチャンネルに多重されるように、全ての放送受信チャンネル（地上波デジタルＴＶ放送の受信チャンネル）を一括して周波数変換した後、微弱電波の規格の許容値（５００μＶ／ｍ）以下の微弱電波て送信アンテナ４４から無線で再送信する。
【００４６】
地上波デジタルＴＶ放送用のＴＶ受信機６には、再配信用の受信機５が接続されている。地上波デジタルＴＶ放送用のＴＶ受信機６は、本来のＵＨＦ帯１３ｃｈ〜６２ｃｈ（４７０ＭＨｚ〜７７０ＭＨｚ）の他に、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能（選局視聴可能）なＴＶチューナ（ＶＨＦ受信対応地上デジタル放送ＴＶチューナ）を備えている。
【００４７】
受信機５は、受信アンテナ５１によって、送信機４から送信された再配信信号を受信し、受信した信号をＴＶ受信機６内のＴＶチューナが受信可能な所定レベルまで増幅した後、ＴＶ受信機６に送る。
【００４８】
ＴＶ受信機６では、ＶＨＦ＿ＳＨＢのチャンネル（空きチャンネル）が選局されることによって、地上波デジタルＴＶ放送が放映される。
【００４９】
図３は、送信機４の構成を示している。
【００５０】
送信機４は、ＵＨＦ受信部４１、周波数変換部４２、ＶＨＦ送信部４３および送信アンテナ４４を備えている。
【００５１】
屋外アンテナ１によって受信された地上波デジタルＴＶ放送信号は、ＵＨＦ受信部４１によって増幅された後、周波数変換部４２に送られる。周波数変換部４２では、受信された地上波デジタルＴＶ放送信号（受信信号）の全てと、固定周波数で発信する発振部４５からのローカル信号とが、ミキサー４６によって混合される。ミキサー４６からは、各受信信号とローカル信号との加算信号と減算信号とが出力される。例えば、受信信号の周波数をｆａ、ローカル信号の周波数をｆｂとすると、周波数がｆａ＋ｆｂの加算信号と、周波数がｆａ−ｆｂの減算信号とが、ミキサー４６から出力される。ミキサー４６の出力は、フィルタ４７に送られ、減算信号のみが抽出される。
【００５２】
ローカル信号の周波数ｆｂは、ミキサー４６から出力される減算信号の周波数（ｆａ−ｆｂ）が、ＶＨＦ帯（この例では、ＶＨＦ＿ＳＨＢ帯）の空きチャンネルであって、かつ微弱電波規格の制限が緩い３２２ＭＨｚ以下の周波数となるように、設定されている。地上波デジタルＴＶ放送が行われているチャンネルおよび中心周波数が表２に示されている近畿広域圏においては、ローカル信号の周波数ｆｂは、例えば２２４ＭＨｚに設定される。ローカル信号の周波数ｆｂをこのように設定した場合の、周波数変換後のＶＨＦ送信チャンネル、中心周波数、放送局および対応ＵＨＦチャンネルは、表７に示すようになる。      
【００５３】
【表７】
2006074267.tif 000009
【００５４】
つまり、図４に示すように、屋外アンテナ１によって受信された地上波デジタルＴＶ放送信号の全チャンネルをＡとすると、地上波デジタルＴＶ放送信号の全チャンネルＡは、周波数変換部４２によって３２２ＭＨｚ以下のＶＨＦ＿ＳＨＢ帯の空きチャンネルＢに周波数変換される。
【００５５】
周波数変換部４２によってＶＨＦ＿ＳＨＢ帯に周波数変換された地上波デジタルＴＶ放送信号は、ＶＨＦ送信部４３によって増幅されて、送信アンテナ４４から無線送信される。なお、ＶＨＦ送信部４３では、無線送信される信号レベルが微弱電波規格による許容値を越えないように、ＡＧＣが行われる。
【００５６】
図５は、受信機５の構成を示している。
受信機５は、受信アンテナ５１およびＶＨＦ受信部５２を備えている。
【００５７】
送信機４から無線送信された周波数変換後の地上波デジタルＴＶ放送信号は、受信アンテナ５１によって受信される。受信アンテナ５１によって受信された周波数変換後の地上波デジタルＴＶ放送信号は、ＶＨＦ受信部５２によって増幅された後、地上波デジタルＴＶ放送用のＴＶ受信機６内のＶＨＦ受信対応地上波デジタル放送ＴＶチューナに送られる。
【００５８】
ユーザは、ＴＶ受信機６において、ＶＨＦ＿ＳＨＢのチャンネルを指定することにより、地上波デジタル放送を視聴することができる。表７に示す例では、チャンネル”Ｃ２７”を指定することにより、ＴＶ受信機６ではチャンネル”Ｃ２７”を選局するための選局動作が行われ、ＵＨＦ１３チャンネルの地上波デジタルＴＶ放送が放映されることになる。    
【００５９】
なお、上記実施例では、周波数変換部４２は、地上波デジタルＴＶ放送信号の周波数を、ＶＨＦ＿ＳＨＢ帯の空きチャンネルであって、かつ３２２ＭＨｚ以下の周波数に変換しているが、地上波デジタルＴＶ放送信号の周波数を、ＶＨＦ＿Ｌｏｗ／Ｈｉｇｈ帯またはＶＨＦ＿ＭＩＤ帯の空きチャンネルであって、かつ３２２ＭＨｚ以下の周波数に変換するようにしてもよい。
【００６０】
上記実施例では、送信機４によって周波数変換を行っているので、地上波デジタルＴＶ放送信号の同一チャンネル妨害の発生を防止できる。また、送信機４は、地上波デジタルＴＶ放送信号の周波数をＴＶ受信機６が選局動作可能なＶＨＦ帯の周波数に変換しているため、受信機５は受信信号の周波数を元の周波数に戻す必要がないため、受信機の回路構成が簡単かつ安価となるという利点がある。
【実施例２】
【００６１】
図６は、送信機の変形例を示している。
【００６２】
この送信機４Ａは、壁面に設けられているＴＶ端子（図示略）に接続される。壁面に設けられているＴＶ端子は、図２に示したように、屋外アンテナに接続されている場合もあるが、集合住宅等の共聴ＴＶ受信システムでは、このＴＶ端子に地上波デジタルＴＶ放送信号がＶＨＦ＿ＳＨＢ帯にダウンコーバートされた後の信号が供給されている場合もある。
【００６３】
そこで、この送信機４Ａでは、入力される信号が屋外アンテナからの地上波デジタルＴＶ放送信号である場合には、図３の送信機４と同様に周波数変換した後に無線送信し、入力される信号が既にダウンコーバートされた信号である場合には、その信号を周波数変換することなく送信するようにしている。
【００６４】
送信機４Ａは、ＵＨＦ／ＶＨＦ受信部７１、ＶＨＦ＿ＳＨＢレベル検出部７２、第１の切換スイッチ７３、周波数変換部４２、第２の切換スイッチ７４、ＶＨＦ送信部４３および送信アンテナ４４を備えている。周波数変換部４２、ＶＨＦ送信部４３および送信アンテナ４４は、図３に示す送信機４の周波数変換部４２、ＶＨＦ送信部４３および送信アンテナ４４と同じである。
【００６５】
図示しないＴＶ端子から入力される、ＵＨＦ帯の地上波デジタルＴＶ放送信号または既にダウンコンバードされたＶＨＦ＿ＳＨＢ帯の地上波デジタルＴＶ放送信号は、ＵＨＦ／ＶＨＦ受信部７１によって増幅された後、ＶＨＦ＿ＳＨＢレベル検出部７２に送られるとともに第１の切換スイッチ７３に送られる。
【００６６】
ＶＨＦ＿ＳＨＢレベル検出部７２は、ＶＨＦ＿ＳＨＢレベル検波部８１、基準電圧発生部８２および比較器８３とを備えている。ＶＨＦ＿ＳＨＢレベル検波部８１は、ＵＨＦ／ＶＨＦ受信部７１から送られてきた信号から、ＶＨＦ＿ＳＨＢ帯の信号をＢＰＦ（バンドパスフィルタ）などで抽出し、抽出した信号をレベル検出回路によって直流（ＤＣ）信号レベルに変換する。このような回路を実現するＬＳＩとしては、例えば、Linear Technology 社製のＬＴ５５３４が用いられる。
【００６７】
比較器８３の−入力端子には基準電圧発生部８２から出力される基準電圧Ｖ１が入力され、比較器８３の＋入力端子にはＶＨＦ＿ＳＨＢレベル検波部８１から出力される電圧Ｖ２が入力される。比較器８３は、Ｖ２＞Ｖ１のときには、出力信号ＶｏｕｔをＨレベルとし、Ｖ２＜Ｖ１のときには、出力信号ＶｏｕｔをＬレベルとする。
【００６８】
比較器８３の出力信号Ｖｏｕｔは、第１の切換スイッチ７３および第２の切換スイッチ７４に制御信号として送られる。ＶｏｕｔがＨレベルである場合（Ｖ２＞Ｖ１）には、各スイッチ７３、７４は、その切片をａ側に切り替える。ＶｏｕｔがＬレベルである場合（Ｖ２＜Ｖ１）には、各スイッチ７３、７４は、その切片をｂ側に切り替える。
【００６９】
したがって、ＶｏｕｔがＨレベルである場合には、つまり、ＶＨＦ＿ＳＨＢ帯の信号レベルが大きいときには、ＵＨＦ／ＶＨＦ受信部７１にダウンコンバードされたＶＨＦ＿ＳＨＢ帯の地上波デジタルＴＶ放送信号が入力されていると判別され、ＵＨＦ／ＶＨＦ受信部７１から出力される信号は、各スイッチ７３、７４を介してＶＨＦ送信部４３に送られる。そして、送信アンテナ４４から無線送信される。
【００７０】
逆に、ＶｏｕｔがＬレベルである場合には、つまり、ＶＨＦ＿ＳＨＢ帯の信号レベルが小さいときには、ＵＨＦ／ＶＨＦ受信部７１にＵＨＦ帯の地上波デジタルＴＶ放送信号が入力されていると判別され、ＵＨＦ／ＶＨＦ受信部７１から出力される信号は、第１スイッチ７３を介して周波数変換部４２に送られ、ＶＨＦ＿ＳＨＢ帯の空きチャンネルであって、かつ３２２ＭＨｚ以下の周波数となるように、周波数変換される。周波数変換後の地上波デジタルＴＶ放送信号は、第２スイッチ７４を介してＶＨＦ送信部４３に送られる。そして、送信アンテナ４４から無線送信される。
【図面の簡単な説明】
【００７１】
【図１】微弱電波規格で定められた周波数帯に対する電界強度（許容値）を示すグラフである。
【図２】地上波デジタルＴＶ放送の無線再配信システムの概要を示す模式図である。
【図３】送信機の構成を示すブロック図である。
【図４】図３の周波数変換部４２の周波数変換を説明するための模式図である。
【図５】受信機の構成を示すブロック図である。
【図６】送信機の他の例を示すブロック図である。
【符号の説明】
【００７２】
１  屋外アンテナ
４  送信機
５  受信機
６  ＴＶ受信機
４１  ＵＨＦ受信部
４２  周波数変換部
４３  ＶＨＦ送信部
４４  送信アンテナ
７１  ＵＨＦ／ＶＨＦ受信部
７２  ＶＨＦ＿ＳＨＢレベル検出部
７３、７４  切換スイッチ
【図１】
2006074267.tif 000010
【図２】
2006074267.tif 000011
【図３】
2006074267.tif 000012
【図４】
2006074267.tif 000013
【図５】
2006074267.tif 000014
【図６】
2006074267.tif 000015